(57)【要約】【課題】  外観品質を向上させて高級感を醸し出すことができると共に、一般に広く使用されている絵葉書を組み込んで自由にディスプレイしうる卓上ディスプレイ具を提供する。【解決手段】  複数のディスプレイ用紙を厚さ方向に収納し、前面が開放されたポケット部と、上記ポケット部の周縁部に固定され、上記ポケット部内に収納されたディスプレイ用紙を縁取るように配置される厚さ寸法を有するフレーム部とからなるディスプレイ本体と、上記ポケット部の背面部に設けられた脚部とを備えた。【選択図】  図１
0003155290.tif 000002
【実用新案登録請求の範囲】
【請求項１】
複数のディスプレイ用紙を厚さ方向に収納し、前面が開放されたポケット部と、上記ポケット部の周縁部に固定され、上記ポケット部内に収納されたディスプレイ用紙を縁取るように配置されると共に厚さ寸法を有するフレーム部とをからなるディスプレイ本体と、上記ポケット部の背面部に設けられた脚部とを備えたことを特徴とする卓上ディスプレイ具。
【請求項２】
上記ポケット部は、背面板部と、底面板部と、両側面板部とを有し、上記フレーム部は、上記底面板部と両側面板部に固定されている請求項1記載の卓上ディスプレイ具。
【請求項３】
上記フレーム部は内方に向かう鋭角を有する横断面三角形状であることを特徴とする請求項１記載の卓上ディスプレイ具。
【請求項４】
上記ポケット部は平面長方形状であると共に上記フレーム部は平面四角形フ
レームとして形成され、上記ディスプレイ本体は薄型直方体として構成されて
いることを特徴とする請求項１記載の卓上ディスプレイ具。
【請求項５】
上記脚部は上記ディスプレイ本体を長辺部及び短辺部のいずれも下部にして
設置面上に配置することができることを特徴とする請求項４記載の卓上ディス
プレイ具。
【請求項６】
上記フレーム部は、葉書をディスプレイしうる大きさに形成され、上記ディスプレイ用紙は、上記葉書の四隅を固定して上記ポケット部内に収納すると共にフレーム部を通してディスプレイしうるアダプター用紙として構成されていることを特徴とする請求項１記載の卓上ディスプレイ具。
【請求項７】
上記ディスプレイ用紙は、小型紙製カレンダーであることを特徴とする請求
項１記載の卓上ディスプレイ具。
【考案の詳細な説明】
【技術分野】
【０００１】
本考案は卓上ディスプレイ具の改良に関する。
【背景技術】
【０００２】
一般に、卓上カレンダーのように小型カレンダー等を卓上においてディスプイする卓上ディスプレイ具が広く使用されている。しかしながら、このような従来の卓上ディスプレイは、いずれもディスプレイする複数枚のカレンダー用紙を縁取るフレーム材は単に、平面的な用紙により形成されており、高級感に欠けることから外観品質を向上することがユーザーより要請されていた。
【０００３】
また、近年、一般に時候の挨拶に使用される葉書であっても、パソコンを使用した印刷技術の手軽さにより、写真等をプリントした非常に高品質な絵葉書も多い。従って、このような高品質な絵葉書を自由に卓上ディスプレイ具を利用して卓上においてディスプレイすることができれば便利である。
しかしながら、従来、一般に使用されていた卓上ディスプレイ具にあっては、全体に小型に形成されており、葉書をディスプレイすることはできないものもが多かった。
【考案の開示】
【考案が解決しようとする課題】
【０００４】
そこで、本考案は、外観品質を向上させて高級感を醸し出すことができると共に、一般に広く使用されている絵葉書を組み込んで自由にディスプレイしうる卓上ディスプレイ具を提供することにある。
【課題を解決するための手段】
【０００５】
上記課題を解決するために、請求項１の考案にあっては、複数のディスプレイ用紙を厚さ方向に収納し、前面が開放されたポケット部と、上記ポケット部の周縁部に固定され、上記ポケット部内に収納されたディスプレイ用紙を縁取るように配置される厚さ寸法を有するフレーム部とからなるディスプレイ本体と、上記ポケット部の背面部に設けられた脚部とを備えたことを特徴とする。
【０００６】
従って、請求項１記載の考案にあっては、上記ディスプレイ用紙は所定の厚さ寸法を有するフレーム部により縁取りされて視認される。
【０００７】
請求項２記載の考案にあっては、上記ポケット部は、背面板部と、底面板部と、両側面板部とを有し、上記フレーム部は、上記底面板部と両側面板部に固定されている。
従って、請求項２記載の考案にあっては、上記ポケット部の上部は開放されており、上方からディスプレイ用紙をポケット部内に収納することができる。
【０００８】
請求項３記載の考案にあっては、上記フレーム部は内方に向かう鋭角を有する横断面三角形状であることを特徴とする。
【０００９】
請求項４記載の考案にあっては、上記ポケット部は平面長方形状であると共に上記フレーム部は平面四角形フレームとして形成され、上記ディスプレイ本体は薄型直方体として構成されていることを特徴とする。
【００１０】
請求項５記載の考案にあっては、上記脚部は上記ディスプレイ本体を長辺部及び短辺部のいずれも下部にして設置面上に配置することができることを特徴とする。
従って、請求項５記載の考案にあっては、ディスプレイ本体を横長の状態でおくこともできれば、縦長の状態で置くこともできる。
【００１１】
請求項６記載の考案にあっては、上記フレーム部は、葉書をディスプレイしうる大きさに形成され、上記ディスプレイ用紙は、上記葉書の四隅を固定して上記ポケット部内に収納すると共にフレーム部を通してディスプレイしうるアダプター用紙として構成されていることを特徴とする。
従って、請求項６記載の考案にあっては、一般に使用されている葉書をディスプレイ用紙に固定させた状態でポケット部内に収納して上記フレーム部を介してディスプレイすることができる。
【００１２】
請求項７記載の考案にあっては、上記ディスプレイ用紙は、小型紙製カレンダーであることを特徴とする。
【考案の効果】
【００１３】
請求項１〜４記載の考案にあっては、上記ディスプレイ用紙は所定の厚さ寸法を有するフレーム部により、立体的に縁取りされて視認されることから、ディスプレイ用紙は額縁入り絵画のような雰囲気を得ることができ、外観品質を向上させて高級感を醸し出すことができる。
【００１４】
また、請求項２記載の考案にあっては、上記ポケット部の上部は開放されており、上方からディスプレイ用紙をポケット部内に収納することができることから、多数のディスプレイ用紙を上記ポケット部内に収納することができる。
【００１５】
請求項５記載の考案にあっては、薄型直方体として構成された上記ディスプレイ本体を、いわゆる横置き又は縦置きのいずれの状態であっても卓上に載置することができ、卓上の状況に応じて載置が可能な卓上ディスプレイ具を提供することができる。
【００１６】
請求項６記載の考案にあっては、一般に使用されている葉書をディスプレイ用紙に固定させた状態でポケット部内に収納して上記フレーム部を介してディスプレイすることができることから、きれいな絵や写真が掲載された、一般に使用されている葉書をそのまま卓上において自由にディスプレイすることができる。
【００１７】
請求項７記載の考案にあっては、小型紙製カレンダーを卓上においてディスプレイ可能な卓上ディスプレイ具を提供することができる。
【図面の簡単な説明】
【００１８】
【図１】本考案に係る卓上ディスプレイ具の一実施の形態を示す斜視図である。
【図２】本考案に係る卓上ディスプレイ具の一実施の形態を背面側から示す斜視図である。
【図３】本考案に係る卓上ディスプレイ具の一実施の形態を示す正面図である。
【図４】本考案に係る卓上ディスプレイ具の一実施の形態を示すIV―IV線断面図である。
【考案を実施するための最良の形態】
【００１９】
以下、添付図面に示す実施の形態に基づき本考案を詳細に説明する。
図１に示すように、本実施の形態に係る卓上ディスプレイ具１０は、複数のディスプレイ用紙１３を厚さ方向に収納し、前面が開放されたポケット部１１と、上記ポケット部１１の周縁部１２に固定され、上記ポケット部１１内に収納されたディスプレイ用紙１３を縁取るように配置されると共に厚さ寸法を有するフレーム部１４とからなるディスプレイ本体１５と、上記ポケット部１１の背面部１５に設けられた脚部１６とを備えている。
【００２０】
図２に示すように、上記ポケット部１１は、背面板部１７と、底面板部１８と、両側面板部１９，２０とからなり所定の厚さ寸法を有している。
上記フレーム部１４は、上記底面板部１８と両側面板部１９，２０に固定されており、上記ポケット部１１の上部２５は開放されており、上方からディスプレイ用紙１３をポケット部１１内に収納することができるように構成されている。
【００２１】
上記ポケット部１１は平面長方形状であると共に上記フレーム部１４は平面四角形フレームとして形成され、上記ディスプレイ本体１５は薄型直方体として構成されている。
図３に示すように、上記ディスプレイ用紙１３は、所定の剛性を有する厚紙により長方形状に形成され、大きさは、縦横寸法共に葉書２２よりもやや大きく形成されており、小型紙製カレンダー２４として形成されている。また、ディスプレイ用紙１３は、同様の紙により、葉書２６の四隅を固定して上記ポケット部１１内に収納すると共にフレーム部１４を通してディスプレイしうるアダプター用紙２３としても構成されており、いずれもポケット部１１内に収納できる。アダプター用紙２３には四隅にスリット３９が形成され、葉書２６の四隅を挿入して固定できるように構成されている。
【００２２】
図４に示すように、上記フレーム部１４は内方に向かう鋭角を有する横断面三角形状に形成されている。
上記脚部１６は上記ディスプレイ本体１５を長辺部及び短辺部のいずれも下部にして載置面２１上に配置することができるように構成されている。
【００２３】
図２に示すように、本実施の形態にあっては、上記ポケット部１１の背面板部１７の一部を切り起こして形成され、脚部本体２７と係止部２８とからなる。
上記脚部本体２７は、上記背面板部１７の隅部２９の一部に、長辺部及び短辺部から内方へ至る互いに離間した切断線３０，３０を形成し、上記切断線３０，３０の端部から角部３１に向かう２本の折り線３３，３３を形成し、上記折り線３３，３３に沿って両側部３４，３４を折って立ち上げ、上記両側部３４，３４に形成された係合孔部３５，３５に係止片３６，３６を係止させることにより、上記２本の折り線３３，３３により画成された本体部３７及び両側部３４，３４により脚部１６が形成されるものである。
【００２４】
この場合、上記本体部３７は、全体細長五角形に形成されており、先端部には２つの斜辺部からなる接地部３８ａ，３８ｂが形成される。従って、例えば、本実施の形態に係る卓上ディスプレイ具１０を横置きする場合には、一方の斜辺部３８ａを載置面２１に当接させて設置する。また、卓上ディスプレイ具１０を縦置きにする場合には他方の斜辺部３８ｂを載置面２１に当接させて設置する。
【００２５】
なお、符号３１，３２は、夫々、卓上ディスプレイ具１０を壁等に係止して使用する場合のフックである。
【００２６】
以下、本実施の形態に係る卓上ディスプレイ具１０の使用方法について説明する。
本実施の形態に係る卓上ディスプレイ具１０のポケット部１１には、例えば、１年の小型紙製カレンダー２４が１２枚収納され、適宜の月度のカレンダーを選択して、フレーム部１４からディスプレイすることができる。
【００２７】
また、アダプター用紙２３も収納できることから、他人からもらった葉書、もしくは購入した絵葉書等できれいな写真、絵等が印刷されている場合には、その葉書をアダプター用紙２３の四隅のスリット３９，３９，３９，３９に、葉書２６の四隅を挿入して固定して、ポケット部１１内に収納して、上記フレーム部１４から前方へディスプレイすることもできる。
【００２８】
また、上記のように脚部２２は２つの接地部３８ａ，３８ｂを有していることから、夫々の接地部３８ａ，３８ｂを使用することにより卓上ディスプレイ具１０を、ディスプレイする絵葉書等の画像に合わせて横置き及び縦置きの双方で使用することができる。
【００２９】
従って、本実施の形態に係る卓上ディスプレイ具１０にあっては、カレンダー用紙又は絵葉書等のディスプレイ用紙１３は所定の厚さ寸法を有するフレーム部１４により立体的に縁取りされて視認されることから、ディスプレイ用紙１３は額縁入り絵画のような雰囲気を得ることができ、外観品質を向上させて高級感を醸し出すことができる。
【００３０】
また、卓上ディスプレイ具１０を、いわゆる横置き又は縦置きのいずれの状態であっても卓上に載置することができ、卓上の状況に応じて載置が可能な卓上ディスプレイ具を提供することができる。
【産業上の利用可能性】
【００３１】
本考案は、広く、卓上において小型カレンダー等をディスプレイする卓上ディスプレイ具に適用することができる。
【符号の説明】
【００３２】
１０  卓上ディスプレイ具
１１  ポケット部
１２  周縁部
１３  ディスプレイ用紙
１４  フレーム部
１５  ディスプレイ本体
１６  脚部
１７  背面板部
１８  底面板部
１９  側面板部  
２０  側面板部
２１  載置面
２２  脚部
２３  アダプター用紙
２４  小型紙製カレンダー
２５  上部
２６  葉書
２７  脚部本体
２８  係止部
２９  隅部
３０  切断線
３１  フック
３２  フック
３３  折り線
３４  両側部
３５  係合孔部
３６  係止片
３７  本体部
３８  接地部
３９  スリット
【図１】
0003155290.tif 000003
【図２】
0003155290.tif 000004
【図３】
0003155290.tif 000005
【図４】
0003155290.tif 000006